(57)【要約】【課題】  時計の文字板が手のひら内に開くことができる腕時計を提供する。【解決手段】  本発明の腕時計は、時計ムーブメントとディスプレイ（７、１７）を搭載するケースを有する。このディスプレイは、現在の時刻と他の情報（時間に関連するしないを問わない）を表示する。ケース（３）は、追加のストランド（１０）の端部に固定してあるいは回転可能に搭載される。追加のストランド（１０）は、１つあるいは複数の部品（１４、１６、１８）と着脱手段（１９、２９）を有する。【選択図】  図３
2008064756.tif 000002
【特許請求の範囲】
【請求項１】
留め具（８）で腕時計のユーザの手首に装着されるリストバンド（５）が、腕時計の６時と１２時の位置で接続される広げることが可能なケース（３）を有する腕時計において、
前記ケース（３）は、
（Ａ）  腕時計ムーブメントと、
（Ｂ）  現在の時刻と第２の情報を表示するディスプレイ（７、１７）と、
（Ｃ）  １個あるいは複数個の部品（１４、１６、１８）から形成されるフレキシブルな付属ストランド（１０）と
を有し、
前記付属ストランド（１０）の一端は、前記リストバンド（５）のストランド（６、１２）の一方との間に、旋回ポイント（１５）を有し、前記付属ストランド（１０）の他端は、前記ケース（３）を搭載し、
旋回は、前記ストランド（６、１２）の面に直交する軸の周囲で行われ、
前記ケースは、着脱手段（１９、２９）により、通常位置に保持されるか、掌に広げられる
ことを特徴とする腕時計。
【請求項２】
前記付属ストランド（１０）は、１個の部品（１４）で形成され、腕時計の６時側のストランド（６）との間に、旋回ポイント（１５）を有し、
前記ケース（３）は、前記付属ストランド（１０）の他端に、固定搭載される
ことを特徴とする請求項１記載の腕時計。
【請求項３】
前記付属ストランド（１０）は、１個の部品（１４）で形成され、腕時計の１２時側のストランド（１２）上に、旋回ポイント（１５）を有し、
前記ケース（３）は、前記付属ストランド（１０）の他端に、１８０度回転可能に搭載される
ことを特徴とする請求項１記載の腕時計。
【請求項４】
前記付属ストランド（１０）は、２つの部品（１４、１６）で形成され、
前記２つの部品（１４、１６）は、付属ストランド（１０）の面に直交する軸の周囲に、第２の旋回装置（２５）で、互いに結合され、
前記第１部品（１４）は、一端にリストバンド（５）との間に旋回ポイント（１５）を有し、他端に第１着脱手段（１９）を有し、
前記第２部品（１６）は、端部にケース（３）を搭載し、第２着脱手段（２９）を搭載する
ことを特徴とする請求項１記載の腕時計。
【請求項５】
前記リストバンド（５）の旋回ポイント（１５）は、１２時側のストランド（１２）に配置され、
前記ケース（３）は、付属ストランド（１０）の第２部品（１６）の端部に固定して搭載される
ことを特徴とする請求項４記載の腕時計。
【請求項６】
前記リストバンド（５）の旋回ポイント（１５）は、６時側のストランド（６）に配置され、
前記ケース（３）は、付属ストランド（１０）の第２部品（１６）の端部に回転可能に搭載される
ことを特徴とする請求項４記載の腕時計。
【請求項７】
前記付属ストランド（１０）は、２個の部品（１４、１６）で形成され、
前記２個の部品（１４、１６）は、ヒンジ（２２）で互いに結合され、
前記第１部品（１４）は、その一端にリストバンド（５）との間に旋回ポイント（１５）を有し、
前記第２部品（１６）は、その端部に、通常位置で現在の時刻を表示する第１表示（７）を有し、その反対面に、他の情報を表示する第２表示（１７）を有するケース（３）を搭載する
ことを特徴とする請求項１記載の腕時計。
【請求項８】
付属ストランド（１０）の２個の部品（１４、１６）の間の接合部分は、付属ストランド（１０）の長さ方向に沿った回転ピン（２３）を有する
ことを特徴とする請求項７記載の腕時計。
【請求項９】
前記ケース（３、１３）は、付属ストランド（１０）の端部（１６）に回転可能に搭載される
ことを特徴とする請求項７あるいは８記載の腕時計。
【請求項１０】
前記付属ストランド（１０）は、３個の部品（１４、１６、１８）で形成され、
前記第１部品（１４）は、その一端にリストバンド（５）との間に旋回ポイント（１５）を有し、
前記第２部品（１６）は、ヒンジ（２２）により第１部品（１４）に結合され、
前記第３部品（１８）は、固定したケース（３）を搭載しながら、ヒンジ（２４）により第２部品（１６）に結合される
ことを特徴とする請求項１記載の腕時計。
【請求項１１】
前記ケース（３）は、バー（２０）を有し、
前記バー（２０）の内の１つは、ヒンジ（２４）と一体になり、リストバンド（５）に固定されたスタッド（２１）に適合することにより、第１着脱手段（１９）を形成し、
前記他のバー（２０）は、リストバンド（５）に固定されるスタッド（２１）に適合することにより、第２着脱手段（２９）を形成する
ことを特徴とする請求項１０記載の腕時計。
【請求項１２】
前記部品（１４、１６、１８）に内の少なくとも１つは、長さ方向に伸縮可能である
ことを特徴とする請求項１記載の腕時計。
【請求項１３】
前記ケース（３）は、前記ハウジング（１３）に固定され、
前記ハウジング（１３）は、付属ストランド（１０）に固定される
ことを特徴とする請求項１記載の腕時計。
【請求項１４】
前記ケース（３）は、前記ハウジング（１３）から切り離すことができる
ことを特徴とする請求項１３記載の腕時計。
【請求項１５】
前記ケース（３）は、クロノグラフの機能用に外部制御部材（２ａ、２ｂ）を有する
ことを特徴とする請求項１−１４のいずれかに記載の腕時計。
【請求項１６】
前記制御部材（２ａ、２ｂ）は、１２時側の位置に配置される
ことを特徴とする請求項１５記載の腕時計。
【請求項１７】
前記第２の表示手段は、電話機能に対応する
ことを特徴とする請求項１−１４のいずれかに記載の腕時計。
【発明の詳細な説明】
【技術分野】
【０００１】
本発明は、「通常位置」において、現在の時刻と第２の情報（時間に関係するか否かを問わない）とを表示する腕時計に関する。本発明は、特に時間あるいは情報の制御と読みとりを、制御部材と表示部材を含むケースを広げることにより容易にし、特に、留め金により腕に留められているリストバンドから、ケースを取り外すことなく、容易に行える腕時計に関する。
【背景技術】
【０００２】
本明細書において、「通常位置」とは、ケースが腕時計のリストバンドに接続された状態で、手の甲側でケースの文字板に表示された情報を読むことができる位置と定義する。
【０００３】
ケースは、リストバンドに固定されることにより、通常位置に配置され、手に平行な状態で且つ手の甲側で情報を読みとることができる。ケースは、傾けることまたは回転することにより、この通常位置から若干離れる方向に移動して、表示をさらに見やすくするか、さらにケースのバックカバーに形成された第２表示を見えるようにする。
【０００４】
【特許文献１】米国特許第１８０４０４８号明細書
【特許文献２】スイス特許第１６１６１０号明細書
【０００５】
特許文献１は、中間部分のプッシュボタンを押すと、ヒンジの周囲でケースが回転／旋回する装置を開示する。特許文献２に開示された装置は、２個のヒンジ留めされたケースを有する。リストバンドに接続されたケースのバックカバーの方向を向いてディスプレイを隠し、少なくとも９０°回転／旋回させ、ディスプレイを見えるようにする。
【０００６】
カルティエの「タンク・バスキュラント（Tank Basculante）」モデルにおいては、ケースは、支持部材に回転可能に搭載される。この支持部材がヒンジを介して固定ケースにヒンジ留めされ、可動ケースは完全に回転できる。可動ケースが通常位置に戻った時に、可動ケースのバックカバーに形成された第２ディスプレイへのアクセスを提供する。これらの従来装置においては、可動ケースは、リストバンドとの強力な機械的リンク機構関係を維持し、ディスプレイは、手の甲側でしか読むことができない。
【発明の開示】
【発明が解決しようとする課題】
【０００７】
本発明の目的は、リストバンドとの安全なリンク機構関係を維持しながら、通常位置から完全に動くことのできるディスプレイにより表示される情報を読むことのできる新たな装置を提供することである。
【課題を解決するための手段】
【０００８】
本発明は、広げることができる機能（展開機能）を有するケースを具備する腕時計を提供する。このケースはリストバンドに結合される。このリストバンドは、時計の装着者の手首に留め金で装着され、ケースの６時と１２時の位置で、ケースに結合される。このリストバンドは、少なくとも１個の時計ムーブメントを有するケースを間接的に搭載する。時計ムーブメントは、時刻情報と第２の情報の表示を行う。本発明の特徴は、ケースは、追加的なフレキシブルなストランドの一端に搭載され、そのストランドの他端は、リストバンドに回転可能に結合される。追加のストランドとリストバンドの間の着脱手段を介して、ケースは通常位置と第２位置とを取る。この第２位置においては、ケースは掌内に配置されるように広げられ、ディスプレイを読み、通常位置の反対位置で制御部材を制御することができる。
【０００９】
追加のストランドは、１個あるいは複数の部品で形成される。追加のストランドは、ディスプレイが、ケースが追加のストランドに固定して搭載された時に、適正な方向を向いて掌（手のひら）に広げられるよう、リストバンドの旋回ポイントの位置を決定する。追加のストランドが１個の部品で形成されている場合（第１変形例）には、旋回ポイントは、６時の位置側のストランドになければならない。追加のストランドが２個の部品から形成され第２の旋回ポイントにより接続される場合（第２変形例）には、第１旋回ポイントは、１２時の位置側のストランドになければならない。
【００１０】
本発明の第２変形例が選択されると、ディスプレイは、反転され、ディスプレイが１８０°回転できるように、ケースに回転可能に搭載することにより、従来技術の欠点は回避できる。
【００１１】
追加のストランドが２つの部品から形成される時には、ヒンジが１個の旋回ポイントの代わりをする。ただしリストバンドへの配置には例外がある。追加のストランドを形成する部品の数が偶数の場合には、旋回ポイントは、追加のストランドの長さ方向に沿って配置し、ケースは掌内に広げられた時に、反転するようにしなければならない。
【実施例】
【００１２】
以下本発明の一実施例をアナログ表示の腕時計を例に説明する。ケース３は、ムーブメントを有する。このムーブメントは、ディスプレイ７上に現在の時刻を表示し、クロノ機構を駆動する。このクロノ機構は、竜頭４の両側に配置されたプッシュボタン２ａ、２ｂにより制御され、ディスプレイ７上にタイミング情報を表示する。
【００１３】
ディスプレイ７は、液晶のアナログ表示でもよい。
【００１４】
図１−４を参照して、本発明の第１実施例を以下説明する。ケース３は、通常位置（図１）と第２位置（図３）とを占有する。通常位置では、図１に示すように、ケース３は、リストバンド５を手首に巻いて、留め具８で止められる。第２位置では、ケース３は、図３に示すように、掌内に配置できるようにリストバンド５の外側に広げた状態にある。留め具８は、１２時側の位置にあるストランド１２の端部に固定されるバックルと舌状端部８ａとにより形成される。他のタイプの留め金も使用可能である。リストバンド５は、１２時側の位置にあるストランド１２と６時側の位置にあるストランド６とから形成される。
【００１５】
図２に示すように、留め具８は開いた状態で、腕時計が腕からはずされテーブル上におかれた状態にある時には、ケース３は、一個の部品で形成されたフレキシブルな追加ストランド１４の一端に固定して搭載される。追加のストランド１４の他端は、６時側のストランド６上に旋回ポイント１５を有する。この旋回ポイント１５は、公知の手段、例えば遊びを持ったリベット手段で形成できる。付属ストランド１０を形成する追加のストランド１４とケース３は、ストランド１２と追加ストランド１４との間に配置された第１着脱手段１９により、通常位置（図１、２）に保持される。図４は、図３の腕時計をテーブル上に広げた状態を示す。第１着脱手段１９は、公知のもので、例えば圧縮型の装置あるいはプッシュ・ボルト型の装置で形成できる。
【００１６】
図５、６は、本発明の第２実施例を示すが、第１実施例と異なる点は、追加のストランド１４の旋回ポイント１５は、１２時側のストランド１２にある点である。ケース３が広げられた状態（図６）においては、ディスプレイ７は回転される。それ故に、ケース３は、追加のストランド１４の端部に、回転ポイント９の周囲に回転するよう搭載される。ケース３を１８０°回転させて、ケース３が掌内に配置された時に、ディスプレイ７を読むことができるようにする。
【００１７】
第１実施例では追加のストランド１４は、フレキシブルであるが、長さ方向には伸縮性はない。図５、６の変形例によれば、追加のストランド１４は、長さ方向にも伸縮性があり、ユーザは自分の掌あるいは指間にケース３を配置することもできる。同図に示すように、追加のストランド１４は、２枚の中空のシース１４ａにより形成される。このシース１４ａ内に舌状部材１４ｂがスライドする。本発明の変形例として、追加のストランド１４は、スプリングで付勢されたリンクあるいは弾性材料で形成することもできる。この変形例は、本発明の第１実施例および以下に記載する他の実施例にも適用可能である。
【００１８】
図７、８は、本発明の第３実施例を示すが、前述した実施例と異なる点は、付属ストランド１０が、２つの部品である追加のストランドである第１部品１４と第２部品１６により形成されている点である。この追加のストランド１４、１６は、第２の旋回ポイント２５で互いにヒンジ留めされる。第１部品である追加のストランド１４は、その一端にリストバンド５上に第１の旋回ポイント１５を有し、この回転は、この実施例では、１２時側のストランド１２の部分で行われる。
【００１９】
第２部品である追加のストランド１６の端部は、ケース３を搭載する。この二重回転（旋回）するケース３により、ケース３が掌で広げられた時に、ディスプレイ７が通常の読み出し位置にくることができる。ケース３が通常位置（図７）にある時には、追加のストランド１４は、第１着脱手段１９によりリストバンド１２に固定され、追加のストランド１６が、追加のストランド１４に第２着脱手段２９により固定される。この第２着脱手段２９は、追加のストランド１６の端部と追加のストランド１４の間に配置される。第１着脱手段１９は、第２の旋回ポイント２５に関連して配置して、組立部品の数を減らすこともできる。
【００２０】
同様に、付属ストランド１０の追加のストランド１４、１６の一方または他方を伸縮可能に形成することにより、第２実施例の変形例により、審美性の目的のために、旋回ポイント１５、２５をリストバンドの中心に持っていくことができる。
【００２１】
図９、１０は、本発明の第４実施例を示すが、前記の実施例の特徴の全てを有するが前記の実施例と異なる点は、付属ストランド１０の追加のストランド１４は、リストバンド５の６時側のストランド６上に回転可能に搭載されることである。第２実施例と同様に、この構成により、ケース３は、回転ポイント９の周囲で回転することにより、再度方向を変えることができる。この実施例の他の部分は、他の実施例と同様であるので、これ以上の説明は割愛する。
【００２２】
図１１、１２は、本発明の第５実施例を示すが、第３実施例と第４実施例との相違点は、付属ストランド１０の追加のストランド１４、１６の結合が、ヒンジ２２により行われる点である。このような状態においては、ケース３が広げられた後は、第１のディスプレイ７は、掌の反対側にあり見ることができない。しかし、この実施例により、第２のディスプレイ７を、ケース３のバックカバーに搭載できる。ここに示した実施例においては、これは簡単なバニティ・ミラーから計算機、電話機、ダイアリー等のキーボードの他のタイプのディスプレイにも適用可能である。後者の計算機、電話機の場合においては、ディスプレイ７、１７の文字が反転して見えることになる、あるいはケース３を第２と第４実施例のように回転しなければならない。基本的な旋回ポイント１５は、リストバンド５のストランド６、１２のいずれかの上に配置できる。
【００２３】
図１３、１４は、本発明の第６実施例を示すが、前述した実施例と異なる点は、付属ストランド１０の追加のストランド１４、１６の間の結合が、追加のストランド１６の長さ方向に沿って配置された旋回ピン２３により行われる点である。この第２部品である追加のストランド１６は、２つの部品１６ａ、１６ｂから形成される。同様に、旋回は、付属ストランド１０の第１部品である追加のストランド１４上で行われる。この構成は、ディスプレイ７、１７のいずれかは、ケースを掌に広げた状態でも読むことができる。
【００２４】
上記した実施例においては、付属ストランド１０は、１つあるいは２つの追加のストランド１４、１６により形成される。図１５、１６は本発明の第７実施例を示すが、付属ストランド１０は、３個以上の部品、例えばこの実施例においては、追加のストランド１４、１６、１８から形成される。第１部品である追加のストランド１４は、前の実施例と同様に、リストバンド５上に旋回ポイント１５を有する。第２部品である追加のストランド１６は、第５実施例と同様に、第１部品１４と第２部品１６とを接続するヒンジ２２を有する。第３部品である追加のストランド１８は、第２部品１６にヒンジ２４により結合され、ケース３をサポートする。これらの３個の部品である追加のストランド１４、１６、１８は、前述した３個の着脱手段により、通常位置に維持される。これらは、ケース３の下にそれらを隠すためのアコーディオン型の閉じ込め手段を有する。ケース３を掌に置こうとした時には、ヒンジ２２、２４の周囲の二重のスイーベル（旋回）運動により、ディスプレイ７は、通常の読み取り位置を採る。
【００２５】
ここに示した実施例によれば、第３部品追加のストランド１８は、ケース３と一体化され、ヒンジ２４は、ディスプレイ７の６時の位置のバー２０により形成される。
【００２６】
さらに、バー２０は、ケース３のホーン３ａを超えて伸びる包含部分２０ａを改善するために、リストバンド５のストランド６に固定されるスタッド２１内にスナップ・フィットすることにより、着脱手段を形成することもできる。この同一の構成を６時の位置に形成し、着脱手段の数を２個に戻すこともできる。
【００２７】
図１７、１８は、前述した実施例の変形例を示す。この図１７、１８によれば、ケース３が、付属ストランド１０の端部（ケース部分１６）に配置された剛性ハウジング１３内に、例えば剛性ハウジング１３のスロット１１ａ内にフィットするＳ字型のスプリング手段１１により、嵌る。これにより、クロノグラフを腕時計のリストバンドから切り離し、首回りに装着されるリンク（チョーカー）に、固定することもできる。
【００２８】
同様に、剛性ハウジング１３またはケース３は、付属ストランド１０が２つの部品により形成される場合には、追加のストランド１４に固定される別の剛性の旋回ピン２３内に適合することもできる。あるいは付属ストランド１０が１個の部品から形成される場合には、直接リストバンド５に適合することもできる。剛性の旋回ピン２３は、かくして、着脱手段の１つを置換できる。
【００２９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３０】
【図１】手首に装着された通常位置の本発明の腕時計の第１実施例を表す図。
【図２】手首からはずした状態の本発明の腕時計の第１実施例を表す図。
【図３】掌内に広げた状態にある本発明の腕時計の第１実施例を表す図。
【図４】手首からはずした状態の本発明の腕時計の第１実施例を表す図。
【図５】通常位置の本発明の腕時計の第２実施例を表す図。
【図６】広げた位置にある本発明の腕時計の第２実施例を表す図。
【図７】通常位置の本発明の腕時計の第３実施例を表す図。
【図８】広げた位置にある本発明の腕時計の第３実施例を表す図。
【図９】通常位置の本発明の腕時計の第４実施例を表す図。
【図１０】広げた位置にある本発明の腕時計の第４実施例を表す図。
【図１１】通常位置の本発明の腕時計の第５実施例を表す図。
【図１２】広げた位置にある本発明の腕時計の第５実施例を表す図。
【図１３】通常位置にある本発明の腕時計の第６実施例の斜視図。
【図１４】広げた位置にある本発明の腕時計の第６実施例の斜視図。
【図１５】通常位置にある本発明の腕時計の第７実施例の上面図。
【図１６】広げた位置にある本発明の腕時計の第７実施例の上面図。
【図１７】通常位置にある上記の実施例の変形例の斜視図。
【図１８】半分広げた位置にある上記の実施例の変形例の斜視図。
【符号の説明】
【００３１】
３    ケース
２ａ，２ｂ  プッシュボタン
３ａ  ホーン
４    竜頭
５    リストバンド
６    ストランド
７    ディスプレイ
８    留め具
８ａ  バックルと舌状端部
９    回転ポイント
１０  付属ストランド
１１ａ  スロット
１２  ストランド
１３  剛性ハウジング
１４  第１部品
１４ａ  シース
１４ｂ  舌状部材
１５  旋回ポイント
１６  第２部品
１６ａ，１６ｂ  分割部品
１７  ディスプレイ
１８  第３部品
１９  第１着脱手段
２０  バー
２０ａ  包含部分
２１  スタッド
２２  ヒンジ
２３  旋回ピン
２４  ヒンジ
２５  旋回ポイント
２９  第２着脱手段
【図１】
2008064756.tif 000003
【図２】
2008064756.tif 000004
【図３】
2008064756.tif 000005
【図４】
2008064756.tif 000006
【図５】
2008064756.tif 000007
【図６】
2008064756.tif 000008
【図７】
2008064756.tif 000009
【図８】
2008064756.tif 000010
【図９】
2008064756.tif 000011
【図１０】
2008064756.tif 000012
【図１１】
2008064756.tif 000013
【図１２】
2008064756.tif 000014
【図１３】
2008064756.tif 000015
【図１４】
2008064756.tif 000016
【図１５】
2008064756.tif 000017
【図１６】
2008064756.tif 000018
【図１７】
2008064756.tif 000019
【図１８】
2008064756.tif 000020